(57)【要約】【課題】射出音だけでなく、打撃音をも低減することができる消音治具を提供する。【解決手段】消音治具１０は、打込機９０に取付可能な取付部２３と、取付部２３に取り付けられた打込機９０による射出物の射出軌跡ＡＸを周囲から取り囲むように配置され、防音材で構成された射出音低減部１１と、  打込み対象８０に接触する接触面３０Ｓを有し、防振材（防振部材３０）で構成された打撃音低減部１２と、を備える。【選択図】図１
2020168678.tif 000002
【特許請求の範囲】
【請求項１】
打込機に取付可能な取付部と、
前記取付部に取り付けられた前記打込機による射出物の射出軌跡を周囲から取り囲むように配置され、防音材で構成された射出音低減部と、
打込み対象に接触する接触面を有し、防振材で構成された打撃音低減部と、
を備える消音治具。
【請求項２】
前記打撃音低減部は、前記打込み対象に前記接触面を接触させた状態で前記打込み対象と当該打撃音低減部との間に固着物を配置するための固着物配置空間を形成する窪部を有し、
前記固着物配置空間は、当該固着物配置空間に対して射出方向上流側の空間よりも前記射出軌跡に直交する断面の大きさが拡大されている、
請求項１に記載の消音治具。
【請求項３】
前記窪部は、前記固着物配置空間が前記射出軌跡に垂直な方向に開放されるように形成されている、
請求項２に記載の消音治具。
【請求項４】
前記打込み対象に前記接触面を吸着させるための吸着部
を更に備える請求項１〜請求項３の何れか１項に記載の消音治具。
【請求項５】
前記射出音低減部は、前記射出軌跡を周囲から取り囲むように配置され、吸音材で構成された射出音吸音部を含んで構成されている、
請求項１〜請求項４の何れか１項に記載の消音治具。
【請求項６】
前記接触面によって形成される接触領域の面積は、前記取付部の前記射出軌跡に直交する断面積の２倍以上である、
請求項１〜請求項５の何れか１項に記載の消音治具。
【発明の詳細な説明】
【技術分野】
【０００１】
本発明は、消音治具に関する。
【背景技術】
【０００２】
特許文献１には、空圧式固着具打込機の減音装置が開示されている。この減音装置では、圧縮された空気が一気に開放された時の音（以下、射出音という。）を減音するように構成されている。
【先行技術文献】
【特許文献】
【０００３】
【特許文献１】特開２００４−０７４２９９号公報
【発明の概要】
【発明が解決しようとする課題】
【０００４】
しかしながら、上記技術では、釘等の射出物の射出音は低減できるが、射出物が柱等の打込対象に衝突する音や貫通する音（以下、これら衝突する音、貫通する音を纏めて「打撃音」という。）を低減できない。
【０００５】
本発明は、射出音だけでなく、打撃音をも低減することができる消音治具を提供することを目的とする。
【課題を解決するための手段】
【０００６】
第１の態様に係る消音治具は、打込機に取付可能な取付部と、前記取付部に取り付けられた前記打込機による射出物の射出軌跡を周囲から取り囲むように配置され、防音材で構成された射出音低減部と、打込み対象に接触する接触面を有し、防振材で構成された打撃音低減部と、を備える消音治具である。
【０００７】
この態様では、消音治具は、打込機に取付可能な取付部を備える。このため、釘打機等の打込機に取付部を取り付けることにより、消音治具を打込機に取り付けることができる。
また、消音治具は、防音材で構成された射出音低減部を備える。射出音低減部は、取付部に取り付けられた打込機による射出物の射出軌跡を周囲から取り囲むように配置される。このため、釘などの射出物の射出音が射出音低減部によって低減される。
また、消音治具は、防振材で構成された打撃音低減部を備える。打撃音低減部は、打込み対象に接触する接触面を有する。このため、接触面を柱等の打込み対象に接触させた状態で釘等の射出物を打込むことで、射出物と打込み対象との打撃音が低減される。
【０００８】
以上説明したとおり、この態様に係る消音治具によれば、打込機により射出物を打込み対象に打込む際、射出音だけでなく、打撃音をも低減することができる。
【０００９】
なお、本発明における「防音材」とは、音を吸収する機能を有する吸音材（グラスウール等）だけでなく、音を遮る機能を有する材料をも含む概念である。
【００１０】
第２の態様に係る消音治具は、第１の態様において、前記打撃音低減部は、前記打込み対象に前記接触面を接触させた状態で前記打込み対象と当該打撃音低減部との間に固着物を配置するための固着物配置空間を形成する窪部を有し、前記固着物配置空間は、当該固着物配置空間に対して射出方向上流側の空間よりも前記射出軌跡に直交する断面の大きさが拡大されている。
【００１１】
この態様では、打撃音低減部は、固着物配置空間を形成する窪部を有する。固着物配置空間とは、打込み対象に接触面を接触させた状態で、打込み対象と当該打撃音低減部との間に固着物を配置するための空間である。そして、固着物配置空間は、当該固着物配置空間に対して射出方向上流側の空間よりも射出軌跡に直交する断面の大きさが拡大されている。
このため、柱等の打込み対象に固着させるブラケット等の固着物が比較的大きなものであっても、当該固着物を固着物配置空間に配置し、打撃音低減部の接触面を打込み対象に接触させた状態で、打込み作業を行うことができる。
【００１２】
第３の態様に係る消音治具は、第２の態様において、前記窪部は、前記固着物配置空間が前記射出軌跡に垂直な方向に開放されるように形成されている。
【００１３】
この態様では、窪部は、固着物配置空間が射出軌跡に垂直な方向に開放されるように形成されている。このため、打込み対象に接触面を接触させた状態で固着物配置空間が射出軌跡に垂直な方向に開放されるので、ブラケット等の固着物の一部を固着物配置空間の外に出した状態で打込み作業を行うことができる。
【００１４】
第４の態様に係る消音治具は、第１〜第３の何れかの態様において、前記打込み対象に前記接触面を吸着させるための吸着部を更に備える。
【００１５】
この態様では、消音治具は、打込み対象に接触面を吸着させるための吸着部を備える。このため、柱等の打込み対象に打撃音低減部の接触面を密着させやすいので、打撃音低減部による消音効果を安定的に得ることができる。
【００１６】
第５の態様に係る消音治具は、第１〜第４の何れかの態様において、前記射出音低減部は、前記射出軌跡を周囲から取り囲むように配置され、吸音材で構成された射出音吸音部を含んで構成されている。
【００１７】
この態様では、射出音低減部は、吸音材（グラスウール等）で構成された射出音吸音部を含んで構成されている。射出音吸音部は、射出軌跡を周囲から取り囲むように配置される。このため、釘などの射出物の射出音が効果的に低減される。
【００１８】
第６の態様に係る消音治具は、第１〜第５の何れかの態様において、前記接触面によって形成される接触領域の面積は、前記取付部の前記射出軌跡に直交する断面積の２倍以上である。
【００１９】
この態様では、接触面によって形成される接触領域の面積は、取付部の射出軌跡に直交する断面積の２倍以上（より好ましくは５倍以上）である。このため、打込み対象に対する射出方向が安定すると共に、小型で扱いやすい消音治具とすることができる。
具体的に説明する。まず、接触面によって形成される接触領域の面積は、打込み対象に対する射出方向の安定性に寄与する。一方、消音治具の全体が大きくなることは、消音治具を扱い難くする。この態様では、接触面によって形成される接触領域の面積は、取付部の射出方向に直交する断面積の２倍以上である。これにより、消音治具の全体を大きくすることなく、接触面によって形成される接触領域の面積を大きくしている。このため、打込み対象に対する射出方向が安定すると共に、小型で使いやすい消音治具とすることができる。
なお、取付部の射出方向に直交する断面積が、射出方向の位置に応じて異なる場合には、上記「取付部の射出方向に直交する断面積」は、打込機の一部が挿入される範囲（射出方向の範囲）における当該断面積の平均値で考える。
【発明の効果】
【００２０】
本発明によれば、射出音だけでなく、打撃音をも低減することができる消音治具を提供することができる。
【図面の簡単な説明】
【００２１】
【図１】実施形態の消音治具を示す斜視図である。
【図２】実施形態の消音治具を示す三面図（平面図、正面図、右側面図）である。
【図３】実施形態の消音治具を示す断面図（図２の３−３線断面図）である。
【図４】実施形態の消音治具の使用状態を示す断面図である。
【図５】磁石の配置方法のバリエーションを示す断面図である。
【図６】変形例の消音治具を示す斜視図である。
【図７】変形例の消音治具を示す斜視図である。
【発明を実施するための形態】
【００２２】
以下、本発明の一実施形態に係る消音治具１０について、図面を用いて説明する。
【００２３】
なお、各図に示す矢印ＦＲ、矢印ＵＰ、矢印ＬＨを、それぞれ、消音治具１０の前後方向前側、上下方向上側、左右方向左側として説明する。また、前後方向を射出方向、前後方向前側を射出方向下流側、前後方向後側を射出方向上流側ということがある。
【００２４】
図１〜図３には、第１実施形態の消音治具１０が示されている。
【００２５】
図１〜図３に示すように、消音治具１０は、合成樹脂で構成された樹脂部材２０と、ゴム等の防振材で構成された防振部材３０と、吸音材４０と、磁石５０と、を含んで構成されている。
【００２６】
（樹脂部材２０）
図３に示すように、樹脂部材２０は、射出方向上流側の基端部２２と、射出方向下流側の先端部２１と、を含んで構成されている。基端部２２は、打込機９０が取り付けられる取付部２３と、吸音材４０が配置される吸音材配置部２４と、を有する。先端部２１は、防振部材３０が固定される固定部として機能する。
【００２７】
図１に示すように、先端部２１は、射出方向に直交する断面の大きさが、基端部２２よりも大きくなるように形成されている。また、先端部２１は、射出方向に直交する断面の形が矩形とされ、基端部２２は、射出方向に直交する断面の形が円形とされている。
【００２８】
図３に示すように、基端部２２は、筒状の周壁２２Ａと、周壁２２Ａの内部に形成されたリブ２２Ｂと、を有する。周壁２２Ａは、消音治具１０に取り付けられた打込機９０による射出物の射出軌跡ＡＸを中心とした円筒状に形成されている。リブ２２Ｂは、周壁２２Ａの内面から射出軌跡ＡＸに向かって突出するように形成されている。リブ２２Ｂの形状は、射出方向から見て、円形である。
【００２９】
リブ２２Ｂは、周壁２２Ａの内部における前後方向中間位置に位置する。周壁２２Ａの内部におけるリブ２２Ｂよりも前方は、グラスウール等の吸音材４０が配置される空間とされ、リブ２２Ｂよりも後方は、釘打機９０のノーズトップ９１が挿入される空間とされている（図４参照）。
【００３０】
吸音材４０は、打込機９０による射出物の射出軌跡ＡＸが通る空間を残すように配置されている。吸音材４０は、音を吸収する機能を有する材料であり、例えば、グラスウール、ロックウール、ウレタンフォームである。吸音材４０は、射出軌跡ＡＸを中心とする円筒形状の領域に配置されている。このため、吸音材４０は、射出軌跡ＡＸを周囲から取り囲むように配置されている。このように配置された吸音材４０が、本発明の「射出音吸音部」に相当する。
【００３１】
本実施形態では、周壁２２Ａの内部におけるリブ２２Ｂの位置は、前後方向の中央よりも前側である。
【００３２】
また、周壁２２Ａの内部におけるリブ２２Ｂよりも射出方向上流側（つまり、取付部２３）には、打込機９０のノーズトップ９１が挿入されたときに、打込機９０のノーズトップ９１を保持するための保持部材２３Ｂが設けられている。保持部材２３Ｂは、例えば、図３に示すように、リング状のゴム部材である。
【００３３】
先端部２１には、射出方向に貫通する貫通孔２１Ｈが形成されている。貫通孔２１Ｈは、射出軌跡ＡＸが通る位置に形成されている。本実施形態では、先端部２１の貫通孔２１Ｈの大きさ及び形状は、リブ２２Ｂが形成する孔と同一である。
【００３４】
本実施形態では、図２（Ｂ）に示すように、貫通孔２１Ｈの位置は、先端部２１を射出方向から見たときの外形の図心の位置と略一致する。
【００３５】
図３に示すように、樹脂部材２０の先端部２１は、防振部材３０が接着等により固定される固定面２１Ｓを有する。固定面２１Ｓは、法線方向を射出方向に向けた平面である。
【００３６】
（防振部材３０）
防振部材３０の外形は、射出方向から見て、樹脂部材２０の先端部２１と同じ外形である。本実施形態では、防振部材３０の外形は、射出方向から見て、樹脂部材２０の先端部２１と同じ矩形状である。
【００３７】
防振部材３０は、前面３０Ｓ、側面３０Ｔ及び後面３０Ｕを有している。
防振部材３０の後面３０Ｕは、接着等により樹脂部材２０の先端部２１の固定面２１Ｓに固定されている。
防振部材３０の前面３０Ｓは、法線方向を射出方向に向けた平面とされている。防振部材３０の前面３０Ｓは、打込み作業において、柱等の打込み対象８０（図４参照）に接触した状態となる。防振部材３０の前面３０Ｓが、本発明の「接触面」に相当する。
【００３８】
防振部材３０には、窪部３１が形成されている。窪部３１は、防振部材３０の前面３０Ｓが射出方向上流側（前後方向後側）に向かって窪むように形成されている。但し、本実施形態では、窪部３１の深さ（射出方向上流側への深さ）が防振部材３０の厚さと一致している。つまり、本実施形態の防振部材３０の窪部３１は、防振部材３０を厚さ方向に貫通している。
【００３９】
防振部材３０の前面３０Ｓを打込み対象としての柱８０の表面８１に接触させた状態では、柱８０と消音治具１０との間に空間（以下、固着物配置空間３２という。）が形成される。固着物配置空間３２は、当該固着物配置空間３２に対して射出方向上流側の空間（本実施形態では、樹脂部材２０の先端部２１の貫通孔２１Ｈによる空間）よりも射出軌跡ＡＸに直交する断面の大きさが拡大されている。本実施形態では、固着物配置空間３２は、直方体形状の空間とされている。
【００４０】
射出物が打込機９０から射出されると、釘などの射出物は、リブ２２Ｂにより形成された空間、吸音材４０により形成された空間、樹脂部材２０の先端部２１の貫通孔２１Ｈにより形成された空間、窪部３１により形成された空間を、この順に通る。
【００４１】
また、固着物配置空間３２は、射出軌跡ＡＸに垂直な方向（本実施形態では、図１に示すように左右方向左側）に開放されるように形成されている。換言すると、防振部材３０は、射出軌跡ＡＸを当該射出軌跡ＡＸに直交する方向の全周から取り囲むようには形成されていない。
【００４２】
（磁石）
図１、図４に示すように、防振部材３０には、磁石５０が配置されている。具体的には、図５（Ａ）に示すように、防振部材３０の前面３０Ｓには、凹部３３が形成されている。この凹部３３に磁石５０が配置されている。磁石５０は、防振部材３０の前面３０Ｓが打込み対象８０に押し付けられて防振部材３０が多少変形した場合でも、磁石５０が防振部材３０の前面３０Ｓよりも射出方向下流側（前後方向前側）に飛び出さないように配置されている。
【００４３】
但し、磁石５０は、図５（Ｂ）に示すように、防振部材３０の中に埋設された状態で配置されてもよい。
【００４４】
（大径部１０Ａ、小径部１０Ｂ）
図３に示すように、消音治具１０は、射出方向に直交する断面が小さい小径部１０Ｂと、射出方向に直交する断面が大きい大径部１０Ａと、から構成されていると捉えることもできる。
【００４５】
小径部１０Ｂの外形は、射出方向に直交する断面が円形である。大径部１０Ａの外形は、射出方向に直交する断面が矩形である。
【００４６】
小径部１０Ｂは、樹脂部材２０の基端部２２と、吸音材４０と、を含んで構成されている。大径部１０Ａは、樹脂部材２０の先端部２１と、防振部材３０と、磁石５０と、を含んで構成されている。
【００４７】
（打込み作業）
図４は、消音治具１０の使用状態の一例を示す断面図である。図４には、一例として、鉄製の柱８０（「打込み対象」）に釘を打ち込む際に、本実施形態の消音治具１０を用いる様子が示されている。また、この例では、柱８０にブラケット７０を重ねた状態で釘を打ち込むことで、ブラケット７０（「固着物」）を柱８０に固着させる作業が示しめされている。
【００４８】
ブラケット７０は、柱８０の面８１に沿って配置される第１部分７１と、板厚方向に曲げられた屈曲部を挟んで第１部分７１と接続された第２部分７２と、板厚方向に曲げられた屈曲部を挟んで第２部分７２と接続された第３部分７３と、を含んで構成されている。
【００４９】
図４に示すように、打込み作業が行われる状態では、固着物配置空間３２には、ブラケット７０の第１部分７１が配置され、ブラケット７０の第２部分７２及び第３部分７３は配置されない。凹部３３の深さＤ１（図３参照）は、ブラケット７０の第１部分７１の厚みよりも大きいが、ブラケット７０の厚みＤ２（図４参照）よりは小さい。凹部３３の深さＤ１は、例えば５ｍｍ以下である。
【００５０】
防振部材３０の前面３０Ｓ（「接触面」）が柱８０の面８１に密着した状態となっている。そのため、射出軌跡ＡＸは、柱８０の面８１に垂直である。
【００５１】
＜作用効果＞
次に、本実施形態の作用効果について説明する。
【００５２】
本実施形態では、消音治具１０は、打込機９０に取付可能な取付部２３を備える。このため、釘打機等の打込機９０に取付部２３を取り付けることにより、消音治具１０を打込機９０に取り付けることができる。
また、消音治具１０は、防音材で構成された射出音低減部１１（図３参照）を備える。なお、本発明における「防音材」とは、音を吸収する機能を有する吸音材だけでなく、音を遮る機能を有する材料をも広く含む概念であり、本実施形態における樹脂部材２０も防音材に該当する。射出音低減部１１は、取付部２３に取り付けられた打込機９０による射出物の射出軌跡ＡＸを周囲から取り囲むように配置されている。このため、釘などの射出物の射出音が射出音低減部１１によって低減される。
また、消音治具１０は、防振材（防振部材３０）で構成された打撃音低減部１２を備える。打撃音低減部１２は、打込み対象８０に接触する接触面３０Ｓを有する。このため、接触面３０Ｓを柱等の打込み対象８０に接触させた状態で釘等の射出物を打込むことで、射出物と打込み対象８０との打撃音が低減される。
【００５３】
以上説明したとおり、本実施形態に係る消音治具１０によれば、打込機９０により射出物を打込み対象８０に打込む際、射出音だけでなく、打撃音をも低減することができる。
【００５４】
また、本実施形態では、打撃音低減部１２は、固着物配置空間３２を形成する窪部３１を有する。固着物配置空間３２とは、打込み対象８０に接触面３０Ｓを接触させた状態で、打込み対象８０と当該打撃音低減部１２との間に固着物７０を配置するための空間である。そして、固着物配置空間３２は、当該固着物配置空間３２に対して射出方向上流側の空間よりも射出軌跡ＡＸに直交する断面の大きさが拡大されている。
このため、柱等の打込み対象８０に固着させるブラケット等の固着物７０が比較的大きなものであっても、当該固着物７０を固着物配置空間３２に配置し、打撃音低減部１２の接触面３０Ｓを打込み対象８０に接触させた状態で、打込み作業を行うことができる。
【００５５】
また、本実施形態では、消音治具１０は、打込み対象８０に接触面３０Ｓを吸着させるための吸着部（磁石５０）を備える。このため、柱等の打込み対象８０に打撃音低減部１２の接触面３０Ｓを密着させやすいので、打撃音低減部１２による消音効果を安定的に得ることができる。
【００５６】
また、本実施形態では、窪部３１は、固着物配置空間３２が射出方向に垂直な方向に開放されるように形成されている。このため、打込み対象８０に接触面３０Ｓを接触させた状態で固着物配置空間３２が射出方向に垂直な方向に開放されるので、ブラケット等の固着物７０の一部を固着物配置空間３２の外に出した状態で打込み作業を行うことができる。
【００５７】
また、本実施形態では、射出音低減部１１は、吸音材４０で構成された射出音吸音部４０（吸音材４０）を含んで構成されている。射出音吸音部４０は、射出軌跡ＡＸを周囲から取り囲むように配置されている。このため、釘などの射出物の射出音が効果的に低減される。
【００５８】
また、本実施形態では、接触面３０Ｓによって形成される接触領域の面積（図２におけるＬ１×Ｌ２で表される面積）は、取付部２３の射出方向に直交する断面積の２倍以上（より具体的には５倍以上）である。このため、打込み対象８０に対する射出方向が安定すると共に、小型で扱いやすい消音治具１０とすることができる。
具体的に説明する。まず、接触面３０Ｓによって形成される接触領域の面積（Ｌ１×Ｌ２で表される面積）は、打込み対象に対する射出方向の安定性に寄与する。一方、消音治具１０の全体が大きくなることは、消音治具１０を扱い難くする（図７参照）。本実施形態では、接触面３０Ｓによって形成される接触領域の面積（Ｌ１×Ｌ２で表される面積）は、取付部２３の射出方向に直交する断面積よりも大きくされている。これにより、消音治具１０の全体を大きくすることなく、接触面３０Ｓによって形成される接触領域の面積（図２におけるＬ１×Ｌ２で表される面積）を大きくしている。このため、打込み対象８０に対する射出方向が安定すると共に、小型で使いやすい消音治具１０とすることができる。
【００５９】
〔上記実施形態の補足説明〕
なお、上記実施形態では、「打込機」が釘（ネイル）を打つための釘打機９０である例を説明したが、本発明はこれに限定されない。本発明の「打込機」は、例えば、針（ステープル）を打つための機械であってもよい。
【００６０】
また、上記実施形態では、樹脂部材２０に吸音材４０を配置する空間が形成され、当該空間に吸音材４０が配置された例を説明した。換言すると、消音治具１０が、射出音吸音部４０（吸音材４０）を備える例を説明した。
しかし、本発明の消音治具はこれに限定されず、消音治具は、射出音吸音部４０（吸音材４０）を備えなくてもよい。
例えば、第１実施形態の消音治具１０において吸音材４０を取り除いてもよい。この場合でも、「防音材」としての樹脂部材２０が、射出軌跡ＡＸを周囲から取り囲むように配置されているといえる。換言すると、この場合でも、消音治具は、射出音低減部１１を備えているといえる。このように、本発明における「防音材」は非常に広い概念である。
【００６１】
また、上記実施形態では、窪部３１の深さが、防振部材３０の厚みと同一である例（つまり、防振部材３０の厚み方向の全体が窪部３１とされた例）を説明したが、本発明の「窪部」はこれに限定されない。例えば、窪部３１の深さを、防振部材３０の厚みよりも小さくしてもよい。具体的には例えば、窪部３１の深さを５ｍｍ以下とし、防振部材３０の厚みを１０ｍｍ以上としてもよい。
【００６２】
また、例えば、本発明の消音治具は、図６に示すように、打撃音低減部（防振部材１３０）が窪部３１を有しない消音治具１１０であってもよい。
消音治具１１０では、防振部材１３０に射出軌跡ＡＸが通る貫通孔１３５が形成されている。貫通孔１３５の大きさ（射出方向に見た大きさ）は、樹脂部材２０の先端部２１の貫通孔２１Ｈと略同一とされている。
【００６３】
また、例えば、本発明の消音治具は、図７に示すような消音治具２１０であってもよい。
この消音治具２１０では、樹脂部材２２０が、基端部２２と先端部２１とを備えていない。そのため、消音治具２１０は、大径部１０Ａ（図３参照）と小径部１０Ｂとを備えていない。その結果、接触面３０Ｓによって形成される接触領域の面積が、取付部２３の射出方向に直交する断面積と略同一である。
また、この消音治具２１０の防振部材２３０は、窪部２３１を有している。しかし、窪部２３１が形成する固着部配置空間２３２は、射出方向に垂直な方向に開放されていない。換言すると、窪部２３１を有する防振部材２３０は、射出軌跡ＡＸを当該射出軌跡ＡＸに直交する方向の全周から取り囲むようには形成されている。
【００６４】
なお、消音治具１１０及び消音治具２１０について、上記実施形態と同様の構成について同じ符号を付して、詳細な説明は省略する。
【符号の説明】
【００６５】
１０   消音治具
１１   射出音低減部
１２   打撃音低減部
２３   取付部
３０   防振部材
３０Ｓ 前面（接触面）
３１   窪部
３２   固着物配置空間
４０   吸音材（射出音吸音部）
５０   磁石（吸着部）
７０   ブラケット（固着物）
８０   柱（打込み対象）
９０   釘打機（打込機）
１１０ 消音治具
１３０ 防振部材（打撃音低減部）
２１０ 消音治具
２３０ 防振部材（打撃音低減部）
２３１ 窪部
２３２ 固着物配置空間
ＡＸ   射出軌跡
【図１】
2020168678.tif 000003
【図２】
2020168678.tif 000004
【図３】
2020168678.tif 000005
【図４】
2020168678.tif 000006
【図５】
2020168678.tif 000007
【図６】
2020168678.tif 000008
【図７】
2020168678.tif 000009